【手続補正書】
【提出日】平成24年2月15日(2012.2.15)
【手続補正１】
【補正対象書類名】明細書
【補正対象項目名】０００７
【補正方法】変更
【補正の内容】
【０００７】
本発明は、
所定の範囲で回動する指針を対象として当該指針の位置を検出する指針位置検出装置であって、
前記指針に連動して回転するとともに同一半径上に複数の被検出部を有する回転体と、
前記被検出部が通過する経路中に設定された第１検出位置で前記被検出部の検出を行う第１検出手段と、
前記被検出部が通過する経路中に設定された第２検出位置で前記被検出部の検出を行う第２検出手段と、
を備え、
前記第１検出位置と前記第２検出位置とは、前記回転体上の互いに離れた角度位置に設定され、
前記回転体には、
前記指針が前記所定の範囲の基準位置にあるときに、前記第１検出位置と重なる前記回転体の第１部位から、第１回転方向の側の所定範囲に前記被検出部が無い一方、前記第１部位に隣接する部位から前記第１回転方向とは逆の第２回転方向の側に複数の前記被検出部が形成され、
前記指針が前記基準位置にあるときに、前記第２検出位置と重なる前記回転体の第２部位から、前記第２回転方向の側の所定範囲に前記被検出部が無い一方、前記第２部位に隣接する部位から前記第１回転方向の側に複数の前記被検出部が形成されていることを特徴としている。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】特許請求の範囲
【補正対象項目名】全文
【補正方法】変更
【補正の内容】
【特許請求の範囲】
【請求項１】
所定の範囲で回動する指針を対象として当該指針の位置を検出する指針位置検出装置であって、
前記指針に連動して回転するとともに同一半径上に複数の被検出部を有する回転体と、
前記被検出部が通過する経路中に設定された第１検出位置で前記被検出部の検出を行う第１検出手段と、
前記被検出部が通過する経路中に設定された第２検出位置で前記被検出部の検出を行う第２検出手段と、
を備え、
前記第１検出位置と前記第２検出位置とは、前記回転体上の互いに離れた角度位置に設定され、
前記回転体には、
前記指針が前記所定の範囲の基準位置にあるときに、前記第１検出位置と重なる前記回転体の第１部位から、第１回転方向の側の所定範囲に前記被検出部が無い一方、前記第１部位に隣接する部位から前記第１回転方向とは逆の第２回転方向の側に複数の前記被検出部が形成され、
前記指針が前記基準位置にあるときに、前記第２検出位置と重なる前記回転体の第２部位から、前記第２回転方向の側の所定範囲に前記被検出部が無い一方、前記第２部位に隣接する部位から前記第１回転方向の側に複数の前記被検出部が形成されていることを特徴とする指針位置検出装置。
【請求項２】
前記第１検出位置と前記第２検出位置は、
前記指針が前記基準位置にあるときに、前記指針が回動する所定の範囲に対応する前記回転体の回転角度範囲内の一端部と他端部に設定されていることを特徴とする請求項１記載の指針位置検出装置。
【請求項３】
前記回転体には、前記回転角度範囲に前記被検出部が無く、前記回転角度範囲の外側の角度範囲に前記複数の被検出部が形成されていることを特徴とする請求項２記載の指針位置検出装置。
【請求項４】
前記回転体はステッピングモータにより１ステップずつ回転駆動される構成であり、
前記複数の被検出部は、前記ステッピングモータの１ステップの回転に対応する回転間隔ごとに形成されていることを特徴とする請求項１記載の指針位置検出装置。
【請求項５】
前記所定の範囲は扇形であり、
前記回転体はステッピングモータの運動を前記指針に伝達する歯車であり、
前記被検出部は前記歯車に形成された透過孔であり、
前記第１検出手段および前記第２検出手段は、発光部により前記歯車の一方から光を照射して前記透過孔を透過した光を受光部で受けることで、前記第１検出位置と前記第２検出位置で前記透過孔の有無を検出する構成であることを特徴とする請求項１記載の指針位置検出装置。
【請求項６】
前記指針が前記基準位置にあると判断される状態で、前記第１検出手段と前記第２検出手段とを作動させて、両者ともに前記被検出部が検出されない場合に、前記指針の位置ズレなしと判別する一方、何れか一方で前記被検出部が検出された場合に、前記指針の位置ズレありと判別する針ズレ判別手段を備えていることを特徴とする請求項１記載の指針位置検出装置。
【請求項７】
前記針ズレ判別手段により前記指針の位置ズレありと判別され、且つ、前記第１検出手段に前記被検出部が検出されている場合には、前記第１検出手段に前記被検出部が検出されなくなるまで、前記回転体を前記第２回転方向に駆動制御する一方、
前記針ズレ判別手段により前記指針の位置ズレありと判別され、且つ、前記第２検出手段に前記被検出部が検出されている場合には、前記第２検出手段に前記被検出部が検出されなくなるまで、前記回転体を前記第１回転方向に駆動制御することで、
前記指針を前記基準位置に戻す針ズレ修正制御手段と、
を備えていることを特徴とする請求項６記載の指針位置検出装置。
【請求項８】
所定の範囲で回動する指針を対象として当該指針の位置を検出する指針位置検出装置であって、
前記指針に連動して回転するとともに同一半径上に複数の被検出部を有する回転体と、
前記被検出部が通過する経路中の所定の検出位置で前記被検出部の検出を行う検出手段と、
を備え、
前記回転体には、
前記指針が前記所定の範囲の基準位置にあるときに、前記検出位置と重なる角度位置から、一方の側に第１所定間隔ごとに複数の前記被検出部が形成され、他方の側に前記第１所定間隔より広い第２所定間隔ごとに複数の前記検出部が形成されていることを特徴とする指針位置検出装置。
【請求項９】
前記回転体はステッピングモータにより１ステップずつ回転駆動される構成であり、
前記複数の被検出部が形成される前記第１所定間隔は２ステップの回転間隔であり、
前記複数の被検出部が形成される前記第２所定間隔は３ステップの回転間隔であることを特徴とする請求項８記載の指針位置検出装置。
【請求項１０】
前記指針が前記所定の範囲を移動する際に前記検出位置と重なる前記回転体の回転角度範囲の一端部と他端部には、前記第１所定間隔より小さな間隔で前記被検出部が形成されていることを特徴とする請求項８記載の指針位置検出装置。
【請求項１１】
前記回転体はステッピングモータにより１ステップずつ回転駆動される構成であり、
前記回転体の前記回転角度範囲の一端部と他端部にはそれぞれ１ステップの回転間隔で２個の前記被検出部が形成されていることを特徴とする請求項１０に記載の指針位置検出装置。
【請求項１２】
前記所定の範囲は扇形であり、
前記回転体はステッピングモータの運動を前記指針に伝達する歯車であり、
前記被検出部は前記歯車に形成された透過孔であり、
前記検出手段は、発光部により前記歯車の一方から光を照射して前記透過孔を透過した光を受光部で受けることで、前記所定の検出位置で前記透過孔の有無を検出する構成であることを特徴とする請求項８記載の指針位置検出装置。
【請求項１３】
前記回転体を回転させながら前記検出手段により前記被検出部の検出を行わせるとともに、前記被検出部が検出される前記回転体の回転間隔に基づいて前記指針が前記基準位置より一方の側にあるか他方の側にあるかを判別する針位置判別手段を備えていることを特徴とする請求項８記載の指針位置検出装置。
【請求項１４】
前記針位置判別手段により前記指針が前記基準位置より他方の側にあると判別されたら、前記第１所定間隔で２個の前記被検出部が検出されなくなるまで、前記回転体を前記一方の側へ回転させる制御を行う一方、
前記針位置判別手段により前記指針が前記基準位置より一方の側にあると判別されたら、前記第１所定間隔で２個の前記被検出部が検出されるまで、前記回転体を前記他方の側へ回転させる制御を行うことで、
前記指針を既知の位置に移動させる針位置修正制御手段と、
を備えていることを特徴とする請求項１３記載の指針位置検出装置。
【請求項１５】
扇形の範囲で回動する指針と、
該指針の位置検出を行う請求項１〜１４の指針位置検出装置と、
を備えたことを特徴とする電子時計。